(57)【要約】【課題】本発明は、陰極線管への取り付けが容易で、外部導電膜へ確実に密着する陰極線管用接地具を提供することを目的とする。【解決手段】陰極線管１のファンネル部２に形成された外部導電膜４に密着する接地具６は、編組線７にゴム紐８を内装して構成されており、接地具６の両端部はリング状の係止部９が形成されている。係止部９の少なくとも一方は編組線７により被覆されている。陰極線管１の取付金具５に係止部９を係止することで、ゴム紐８が伸長した状態で外部導電膜４に圧接して装着され、編組線７が外部導電膜４に密着した状態とすることができる。【選択図】図１
2005260841.tif 000002
【特許請求の範囲】
【請求項１】
柔軟性を有する導電性筒状体と、該導電性筒状体に内装されるとともに伸縮性を有する紐状の弾性体とを備え、陰極線管の外部導電膜に前記導電性筒状体を密着するように前記弾性体の両端を引っ張って取り付けられることを特徴とする陰極線管用接地具。
【請求項２】
前記導電性筒状体は、導電性繊維により構成されていることを特徴とする請求項１に記載の陰極線管用接地具。
【請求項３】
係止部が両端部に形成されており、該係止部の少なくとも一方が前記導電性筒状体に被覆されていることを特徴とする請求項１又は２に記載の陰極線管用接地具。
【請求項４】
前記導電性筒状体に被覆されていない前記係止部は、前記弾性体の端部をリング状に形成して構成されており、前記弾性体が保護材により被覆されていることを特徴とする請求項３に記載の陰極線管用接地具。
【請求項５】
請求項１から４のいずれかに記載の陰極線管用接地具を取り付けたことを特徴とする陰極線管。
【請求項６】
請求項５に記載の陰極線管を備えたことを特徴とする表示装置。
【発明の詳細な説明】
【技術分野】
【０００１】
本発明は、テレビジョン受像機等表示装置の陰極線管の帯電防止に用いる接地具に関する。
【背景技術】
【０００２】
従来より、陰極線管にはグラファイト塗布により外部導電膜が形成されているが、外部導電膜の接地が不十分だと局部的に加熱されて破損等が発生するおそれがある。そのため外部導電膜の十分な接地を行うための様々な方法が提案されている。
【０００３】
例えば、特許文献１には、キャビネット内のＣＲＴの下側の、前後移動可能なトレイ上面にフックを突設し、トレイをキャビネット内に移動する時に、フックにアース用ワイヤーの中間部を引っ掛けた状態で移動し、ワイヤーを張設してＣＲＴの表面に密接するように構成した点が記載されている。さらに、ワイヤーの適宜箇所に合成樹脂のワイヤー帯を接続して、このワイヤー帯を縮めることによって、ワイヤーを前記ＣＲＴの表面に密接するように構成した点も記載されている。また、特許文献２には、止着具を備えた接続コードにより、金属バンド部と接地用基板を接続すると共に、金属テープを金属バンド部と導電性塗膜間に亘って貼り付けることにより、導電性塗膜を設置用基板に導電接続する点が記載されている。また、特許文献３には、両端がリング状に形成された接地用編組線の中間の一部をＵ字型に形成し、Ｕ字の両端同士を繋ぐようにコイルばねを結合し、編組線とコイルばねとからなるリング形状を形成することにより、３つのリングを取付金具に挿入することで、編組線を陰極線管に接地させる点が記載されている。また、特許文献４には、アース線を予め消磁コイルの巻線の複数箇所を結ぶように取り付けて一体化したした上で、陰極線管に保持具を用いて消磁コイルを装着することで、アース接続する点が記載されている。また、特許文献５には、編組線の代わりに、ジグザグに屈曲された金属線の両端部を、その金属線自体の弾性を利用して、陰極線管のアクアダック部に沿って当接するようにそれぞれ固定して接地する点が記載されている。
【特許文献１】特開２００２−１５２６２９号公報
【特許文献２】特開平５−８８６３４号公報
【特許文献３】特開平５−３０８５９８号公報
【特許文献４】特開平２００２−３２０２４１号公報
【特許文献５】特開平９−１５４０８４号公報
【発明の開示】
【発明が解決しようとする課題】
【０００４】
上述した特許文献１に記載の前後移動可能なトレイとフックや、合成樹脂のワイヤー帯によりワイヤーを張設して接地する場合は、トレイとフック及びワイヤー帯等が弾性を有していないので、何かの衝撃でトレイが移動してしまったり、ワイヤー帯が緩むと、アース用ワイヤーが緩んでしまい、密接しなくなる恐れがあり、トレイを固定した状態でないとＣＲＴに接触しないので、組み立て途中等で動作させることができず作業性が悪い。また、特許文献２に記載の金属テープと接続コードによる接地の場合は、導電膜はできるだけ広い面積にわたり、多点でアース線等で接触してアース接続することが好ましいので、条件を満たすことができないので、良好な接地とはならず、経年劣化等でテープがはがれる恐れがある。特許文献３に記載の編組線の一部をＵ字にしてコイルを用いる場合は、コイル部分は陰極線管への密接が期待できず、また、予めコイルを編組線に結合する作業が必要となるので、作業効率が良くない。特許文献４に記載のアース線を予め消磁コイルに取り付ける場合は、消磁コイルに結びつける工程が必要となり作業性が悪い。特許文献５に記載の屈曲された金属線を用いる場合は、コイル線よりは接地面積が大きくなるものの、金属線を、陰極線管の曲面に沿って完全に密接させることが困難なので、編組線と同程度の良好な接地は期待できない。
【０００５】
そこで、本発明は、陰極線管への取り付けが容易で、外部導電膜へ確実に密着する陰極線管用接地具を提供することを目的とする。
【課題を解決するための手段】
【０００６】
本発明に係る陰極線管用接地具は、柔軟性を有する導電性筒状体と、該導電性筒状体に内装されるとともに伸縮性を有する紐状の弾性体とを備え、陰極線管の外部導電膜に前記導電性筒状体を密着するように前記弾性体の両端を引っ張って取り付けられることを特徴とする。さらに、前記導電性筒状体は、導電性繊維により構成されていることを特徴とする。さらに、係止部が両端部に形成されており、該係止部の少なくとも一方が前記導電性筒状体に被覆されていることを特徴とする。前記導電性筒状体に被覆されていない前記係止部は、前記弾性体の端部をリング状に形成して構成されており、前記弾性体が保護材により被覆されていることを特徴とする。
【０００７】
本発明に係る陰極線管は、上記の陰極線管用接地具を取り付けたことを特徴とする。
【０００８】
本発明に係る表示装置は、上記の陰極線管を備えたことを特徴とする。
【発明の効果】
【０００９】
上記のような構成を有することで、柔軟性を有する導電性筒状体と、該導電性筒状体に内装されるとともに伸縮性を有する紐状の弾性体とを備えているので、紐状の弾性体がその伸縮性により陰極線管の外部導電膜の曲面に密着して張設されて導電性筒状体全体が外部導電膜の曲面に圧接されるようになる。また、紐状の弾性体の幅の分だけ導電性筒状体が外部導電膜と面接触となり、接触面積が確実に増加することになるので、良好な接地効果を得ることができる。
【００１０】
そして、導電性筒状体を導電性繊維により構成することで、柔軟に外部導電膜に接触するため傷付けることがなく、また導電性に優れており、接地効果を高めることができる。
【００１１】
また、係止部を両端部に形成して、少なくとも一方を導電性筒状体で被覆するようにすれば、係止部を引っ掛ける取付金具についても導電性筒状体が接触して接地することが可能となる。
【００１２】
さらに、弾性体の両端部においてリング状の係止部を形成し、保護材により被覆することで、弾性体の装着が簡単に行えると共に装着した際に弾性体が傷付くことを保護材により防止することができる。
【発明を実施するための最良の形態】
【００１３】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１４】
図１は、本発明に係る実施形態を装着した陰極線管を背面からみた斜視図である。陰極線管１の後部はファンネル部２とネック部３から構成されており、ファンネル部２は略矩形状で、ネック部３の根元に向かって隆起した、じょうごのような形状の曲面となっており、ファンネル部２の外表面には、図１のハッチングで示すように、グラファイト等の外部導電膜４がコーティングされている。また、陰極線管１の四隅には、筐体へ陰極線管１を取り付けるための複数の取付金具５が突設されている。以上の構成は、公知の陰極線管と同様である。
【００１５】
接地具６は、導電性繊維で織成した筒状の編組線７と編組線７に内装されたゴム紐８からなり、両端部にはリング状の係止部９が形成されている。係止部９の一方は、編組線７及びゴム紐８をリング状に形成しており、他方は、ゴム紐８のみリング状に形成している。そして、係止部９を対角線上にある取付金具５に係止することで、ゴム紐８が伸長して外部導電膜４に密着して張設されるようになる。編組線７には、リード線１０が取り付けられており、リード線１０は図示しない外部の接地端子に接続されるようになっている。
【００１６】
陰極線管１が帯電した場合に、外部導電膜４及び取付金具５に帯電した電荷は、編組線７を通りリード線１０から外部の接地端子に流れるため、速やかに帯電状態を解消することができる。
【００１７】
図２は、接地具６が外部導電膜４に密着した状態を示す拡大斜視図である。ゴム紐８は、伸長した状態で張設されるので、外部導電膜４に圧接した状態となっており、そのため、編組線７は外部導電膜４に面接触で確実に密着した状態となる。ゴム紐８の幅を大きくすることで編組線７の接触面積を大きくすることもできる。また、ゴム紐８を用いることで、外部導電膜４の形状が曲面であってもその表面に密着した状態とすることができる。
【００１８】
そして、ゴム紐８を伸長して装着する際に、編組線７は伸びることはなく、ゴム紐８が編組線７の内部で摺動していくようになる。そのため、外部導電膜４の表面を編組線７が摺接することはなく傷つけることはない。
【００１９】
このように、外部導電膜４に編組線７が面接触で確実に密着した状態に取り付けられるので、両者の間の導電性が高まり、陰極線管１で生じた帯電状態をより短時間で消滅させることができる。
【００２０】
なお、この例では、編組線を用いているが、柔軟性を有する導電性筒状体であれば、他の材質、例えば金属フィルムを用いて筒状体としてもよく、編組線に限定されることはない。また、ゴム紐についても同様に、伸縮性のある弾性体で紐状に形成できるものであればよく、ゴム以外の材料を用いることもできる。
【００２１】
図３は、ゴム紐８のみの係止部９を取付金具５に取り付けた状態を示す拡大斜視図である。係止部９には、所定の長さの保護チューブ１１が挿着されており、取付金具５と接触する部分に保護チューブ１１を当てて係止するようにされている。こうして保護チューブ１１を当てることで、取付金具５にゴム紐８が係止されて摩擦等により切断することを防止することができる。保護チューブ１１としては、例えばＰＶＣ等の樹脂製のパイプ状のものを使用すればよい。また、チューブ以外に樹脂コートも可能で、その場合は、係止部９や取付金具５にコートしてゴム紐８が切断することを防止するようにしても良い。
【００２２】
係止部９は、端部を折り返して、例えば、かしめ金具をかしめ治具でかしめたり、熱融着で固着したり、樹脂製の結束バンドで結束しても良い。また、結ぶことによってリング部７を形成すれば、部材が必要なく、作業が容易で、コストを抑えることが可能となる。
【００２３】
図４は、本発明の別の実施形態を装着した陰極線管を背面からみた斜視図である。この例では、接地具６の係止部９は、両方とも編組線７及びゴム紐８で構成されており、それ以外の部分については、図１に記載のものと同様である。したがって、両方の取付金具５が編組線７を通して接地することができ、より短時間に陰極線管１の帯電状態を解消することができる。
【００２４】
係止部９を形成する際に、ゴム紐８の端部を編組線７から少し引き出して編組線７が弛んだ状態でリング状に形成するようにすれば、係止部９を取付金具５に引っ掛けるとゴム紐８が伸長した状態で編組線７がピンと張設されるようになり、上述した実施形態と同様に外部導電膜４に十分密着した状態とすることができる。
【００２５】
そして、上述した接地具を取り付けた陰極線管は、作動時に帯電したとしても速やかに帯電状態を解消することができ、帯電による熱の発生といったトラブルを未然に防止することができる。
【００２６】
図５は、上述した接地具を取り付けた陰極線管を内蔵した表示装置の斜視図を示している。図５では、表示装置の一例としてテレビジョン受像機の内部構造の概略を示しており、バックキャビネット１２が点線で示されている。陰極線管１は、フロントキャビネット１３に取付金具５を固定することで取り付けられており、陰極線管１の下方には、主制御基板１４が配設されている。主制御基板１４の上面には、チューナ１５及びＦＢＴ１６が実装されている。ＦＢＴ１６と陰極線管１は、高圧ケーブル１７で接続されており、高電圧が供給される。陰極線管１のネック部３には、偏向コイル１８及びＣＲＴ基板１９が取り付けられており、偏向コイル１８には主制御基板１４からケーブル２０を介して水平・垂直偏向電流が供給され、ＣＲＴ基板１９には主制御基板１４からケーブル２１を介して映像信号が供給される。
【００２７】
接地具６は、上述したように、陰極線管１の取付金具５に引っ掛けられて外部導電膜４に密着するように取り付けられており、接地具６に電気的に接続されたリード線１０は、ＣＲＴ基板１９のアースパターンに接続されている。そして、ＣＲＴ基板１９のアースパターンは、ケーブル２１を介して主制御基板１４のアースパターンに接続されているので、陰極線管１の帯電により生じた電荷は、接地具６、リード線１０、ＣＲＴ基板１９及び主制御基板１４を通って外部に速やかに放出され、陰極線管１の帯電状態は解消される。
【００２８】
以上のように、本発明に係る接地具を用いることで、安全性が高くかつ製造が容易な陰極線管及び表示装置を提供することができる。
【図面の簡単な説明】
【００２９】
【図１】本発明に係る実施形態を装着した陰極線管に関する斜視図である。
【図２】接地具を装着した状態を示す拡大斜視図である。
【図３】接地具の係止した状態を示す拡大斜視図である。
【図４】本発明に係る別の実施形態を装着した陰極線管に関する斜視図である。
【図５】本発明に係る陰極線管を装着した表示装置に関する斜視図である。
【符号の説明】
【００３０】
１    陰極線管
２    ファンネル部
３    ネック部
４    外部導電膜
５    取付金具
６    接地具
７    編組線
８    ゴム紐
９    係止部
10    リード線
11    保護チューブ
14    主制御基板
19    ＣＲＴ基板
21    ケーブル
【図１】
2005260841.tif 000003
【図２】
2005260841.tif 000004
【図３】
2005260841.tif 000005
【図４】
2005260841.tif 000006
【図５】
2005260841.tif 000007